(57)【要約】【課題】  頭皮に対して脱着可能に取り付けられ、毛髪を係止することができ、かつら素材に好適な吸盤を提供する。【解決手段】  吸盤シート１は、複数の吸盤２を横杆３で縦横に連結したもので個々の吸盤２は椀形吸着体４と円形平坦面５に立設する３本の柱体６とその頂部に固着する環状体７と柱体内部の円筒状の凸部８を有する。凸部８は中空構造で円形平坦面５の中央に穿設する孔９で凸部内面と椀形吸着体内面とを連通する。環状体７には適数本の毛髪を係止するので、任意の時に脱着可能なかつらの構成部材として用いることができる。凸部８は負圧となる空間を二段構成とするので吸着力を高めることができる。隣接する他の椀形吸着体４と連結する横杆３を適宜切断することで吸盤シート１を面状、列状あるいは個別の吸盤として用いることができる。【選択図】        図１
2006002833.tif 000002
【特許請求の範囲】
【請求項１】
下面直径が２ｍｍ程度でその高さを１ｍｍ程度とする椀形吸着体の上面より柱体を複数本立設し、この柱体頂部に毛髪係止用の環状体を固着することを特徴とする吸盤。
【請求項２】
前記吸着体の上面には弾性変形可能で中空の凸部を設け、この凸部内面と前記吸着体内面とを前記上面に穿設する孔で連通することを特徴とする請求項１記載の吸盤。
【請求項３】
前記吸着体は、隣接する他の吸着体と連結する横杆を張り出すことを特徴とする請求項１又は請求項２記載の吸盤。
【発明の詳細な説明】
【技術分野】
【０００１】
この発明は、かつらに好適な極小形吸盤に関するものである。
【背景技術】
【０００２】
かつらには、頭部全体にすっぽりと被せる全かつらや部分的に覆う一部かつらまで用途に応じて数多くの形態があるが、かつらが頭部からずれないように、従来は頭髪にピンで止着したり、粘着テープを利用して頭皮に直接貼り付けて固定していた。
【０００３】
粘着剤を利用して頭皮に固定するかつらとしては、例えば下記に示すような従来技術があった。
【特許文献１】特開平６−２２９００９号公報  従来のかつらは、毛髪を係止するための網目状の布と、この布の下面に貼着する粘着剤からなり、粘着剤は皮膚へ刺激を与えにくい素材を選定していたが、構造的には両面接着テープと同等であった。又近年では０．１ｍｍ程度の極薄の基材に毛髪を係止し、数週間程度の長期間に亘り頭皮に固着する技術も開発されてきた。しかし、かつらは就眠時には取り外したり、又手入れを行なう際等、任意の時に脱着したいという要請もあるため両面テープで接着する構造以外の脱着可能な技術を望む声もあった。取り付け取り外しが容易な構造としては、例えば吸盤にてかつらを取り付ける構造が考えられる。
【０００４】
吸盤は、その背面に様々なものを取り付け、これを一定の場所に固定させて使用するための目的を持ち、夫々の必要に応じた形、大きさを選定してきた。例えば基材に開口径数ｍｍ程度の複数のカップ状吸盤を突設して吸盤シートを形成し、その背面に所定の部材を取り付けると共に吸盤側を他の部材の表面に吸着させる場合、その着脱は比較的容易なものであった。このような吸盤シートは全体が柔軟で弾力性を有する樹脂からなり、自在に折れ曲がりかつ復元する構成であった。
【０００５】
又、最近ではポスター等を窓ガラスに貼付して使用する場合、使用後に剥離することを考慮して、基材の裏面に吸盤層を設ける技術も開発されている。これは吸盤素材となるインキ状物質をスクリーン印刷等の方法により網目状の吸盤型の連続した紋様として印刷するもので、印刷面を乾燥定着させることによって吸盤層が形成され、容易に窓ガラスより剥離することができると共にポスターを繰り返して再使用できる効果があった。
【発明の開示】
【発明が解決しようとする課題】
【０００６】
しかし、従来かつらに好適な吸盤の構造は開示されておらず、人体（頭皮又は皮膚）に吸着すると共に毛髪を係止することを目的とする吸盤は提案されていなかった。
【０００７】
この発明は、従来の吸盤が有する上記の問題点を解消すべくなされたものであり、頭皮に対して脱着可能に取り付けられ、毛髪を係止することができ、かつら素材に好適な吸盤を提供することを目的としている。
【課題を解決するための手段】
【０００８】
上記課題を解決するため、この発明の吸盤は、下面直径が２ｍｍ程度でその高さを１ｍｍ程度とする椀形吸着体の上面より柱体を複数本立設し、この柱体頂部に毛髪係止用の環状体を固着することを特徴とするものである。
【０００９】
例えばシリコン樹脂からなる吸盤の上面を直径１．５ｍｍの円形平坦面とし、この平坦面の外周に沿って直径０．２５ｍｍ、高さ０．７５ｍｍのシリコン樹脂製の柱体を点対称位置に３本立設し、その頂部に太さ直径０．２５ｍｍ、内径１．０ｍｍ、外径１．５ｍｍの環状体を固着する。
【００１０】
この環状体には毛髪を適数本係止する。毛髪は人毛、人工毛何れも可能である。吸盤は頭皮平滑面に吸着するため、皮膚への刺激が少なく、かつ弾力性を備えながら平滑な接触面を有して、押圧後の復元力により強力な吸着力を呈する素材を選ぶ。
【００１１】
請求項２記載の吸盤の吸着体の上面には弾性変形可能で中空の凸部を設け、この凸部内面と前記吸着体内面とを前記上面に穿設する孔で連通することを特徴とするものである。負圧となる空間を二段構成とし、吸着力を高める。孔は針の太さ程度の大きさで、凸部内の空気を押し出す働きをする。凸部は柱体の内側に形成する。
【００１２】
請求項３記載の吸盤の吸着体は、隣接する他の吸着体と連結する横杆を張り出すことを特徴とするものである。横杆は、例えば吸着体上面より直交して張り出し、複数の吸着体を連結して吸盤シートとなす。横杆の長さは、吸着体が押圧されて変形拡張した際にも、隣接する吸着体同士が重合しないようその間隔を確保する。
【００１３】
この吸盤シートは全体が連結した面状の吸盤として用いてもよいし、一列状の吸盤としたり、あるいは独立した一個一個の吸盤として用いてもよい。何れの場合も、かつらとして使用する部分に合わせて適宜横杆を切断等して頭皮に吸着する。
【発明の効果】
【００１４】
この発明の吸盤は、椀形吸着体の上面に立設する柱体頂部に毛髪係止用の環状体を固着するので、任意の時に脱着可能なかつらの構成部材として用いることができる。請求項２記載の吸盤は凸部を設け吸着体内面とを孔で連通するので、負圧となる空間を二段構成とし、吸着力を高めることができる。請求項３記載の吸盤は、隣接する他の吸着体と連結する横杆を張り出すので、吸盤シートとして用いることができ、面状、列状あるいは個別の吸盤として適宜選択しながら用いることができる。
【発明を実施するための最良の形態】
【００１５】
次にこの発明の実施の形態を添付図面に基づき詳細に説明する。図１は吸盤シートの断面図、図２は吸盤シートの平面図である。吸盤シート１は、複数の吸盤２を横杆３で縦横に連結したもので、個々の吸盤２は、下面直径φ1＝２ｍｍ、高さｈ1＝１ｍｍ、厚さｄ1＝０．２ｍｍ程度の椀形吸着体４と、その上面に形成する直径φ2＝１．５ｍｍの円形平坦面５に立設する太さ直径φ3＝０．２５ｍｍ、高さｈ2＝０．７５ｍｍの３本の柱体６と、その頂部に固着する太さ直径φ4＝０．２５ｍｍ、内径φ5＝１．０ｍｍ、外径φ６＝１．５ｍｍの環状体７と、柱体内側に形成する円筒状の凸部８を有する。
【００１６】
凸部８は中空構造で円形平坦面５の中央に穿設する孔９で凸部内面８ａと椀形吸着体４の内面４ａとを連通する。これら吸盤２を構成する各部材は弾性変形可能な素材、例えばシリコン樹脂から形成する。特に椀形吸着体４は頭皮に吸着する部位であるため、皮膚への刺激が少なく、かつ弾力性を備えながら平滑な接触面を有して、押圧後の復元力により強力な吸着力を呈する素材を選定する。
【００１７】
次に吸着時における凸部の作用を図３に基づき説明する。図３は吸盤吸着時の断面図である。吸盤２を頭皮１０に吸着させる際には、椀形吸着体４を押圧して内面４ａの空気を押し出す。同時に凸部８も押圧して内面８ａの空気を孔９を介して押し出す。このように負圧となる空間が二段構成となるので吸着力が高まる。
【００１８】
次に吸盤２をかつらとして使用する際の実施形態を図４に基づき説明する。吸盤２の環状体７には毛髪１１を適数本係止する。毛髪１１は人毛、人工毛何れでも可能であり、吸盤２を頭皮１０に吸着した状態で係止してもよいし、別の場所で予めセットするものでもよい。
【００１９】
吸盤シート１は各吸盤２を横杆３で連結することで面状となっているが、横杆３の適切な位置でこれを切断すれば一列状の吸盤群ともなり、又独立した一個一個の吸盤ともなる。なお横杆３の長さは、椀形吸着体４が押圧されて変形拡張した際にも、隣接する吸着体同士４，４が重合しないようその間隔を適宜設定する。
【００２０】
このように吸盤２は面状、列状あるいは点状として適宜選択しながら用いることができるので、全かつらとしても、部分かつらとしても、又局部的な増毛用かつらとしても用いることができる。
【産業上の利用可能性】
【００２１】
この発明の吸盤は、環状体に毛髪以外の材料を係止することで一般の吸盤、吸着体としても適用可能である。
【図面の簡単な説明】
【００２２】
【図１】吸盤シートの断面図である。
【図２】吸盤シートの平面図である。
【図３】吸盤吸着時の断面図である。
【図４】かつらとして使用する吸盤シートの断面図である。
【符号の説明】
【００２３】
１  吸盤シート
２  吸盤
３  横杆
４  椀形吸着体
５  円形平坦面
６  柱体
７  環状体
８  凸部
９  孔
【図１】
2006002833.tif 000003
【図２】
2006002833.tif 000004
【図３】
2006002833.tif 000005
【図４】
2006002833.tif 000006